(57)【要約】【課題】第３者からの視認性を高め、使用時の安全性を高めることができるベビーカー等を提供すること。【解決手段】乳幼児を乗車させる座席部１１０と、座席部を支持するフレーム部１２０と、移動に際し回動する車輪部１３０と、フレーム部の上方に配置されるハンドル部１４０と、を有するベビーカーであって、ベビーカーの進行方向における前方に向かって第３者の注意を引く注意喚起部１６２が、ベビーカーに対して一体に配置され、注意喚起部は、少なくともベビーカーの進行方向に交差する方向である幅方向の両側縁部近傍にそれぞれ設けられているベビーカー１００。【選択図】図１
2006160135.tif 000002
【特許請求の範囲】
【請求項１】
乳幼児を乗車させる座席部と、
前記座席部を支持するフレーム部と、
移動に際し回動する車輪部と、
前記フレーム部の上方に配置されるハンドル部と、を有するベビーカーであって、
前記ベビーカーの進行方向における前方に向かって第３者の注意を引く注意喚起部が、前記ベビーカーに対して一体に配置され、
前記注意喚起部は、少なくとも前記ベビーカーの進行方向に交差する方向である幅方向の両側縁部近傍にそれぞれ設けられていることを特徴とするベビーカー。
【請求項２】
前記車輪部は、ベビーカーの移動方向に対して配置される第１の車輪部と第２の車輪部を有し、
少なくとも前記第１の車輪部と前記第２の車輪部とを近接する方向に移動させることで、ベビーカーが折り畳み可能な構成となっており、
前記注意喚起部は、ベビーカーの進行方向と交差する方向に配置されている幅方向配置部材上における両側縁部近傍に形成されていることを特徴とする請求項１に記載のベビーカー。
【請求項３】
前記注意喚起部は、発光体で成り、
少なくとも、前記発光体及び電源部により発光手段が形成され、
前記発光手段が前記幅方向配置部材に形成されていることを特徴とする請求項２に記載のベビーカー。
【請求項４】
前記座席部のベビーカーの進行方向における両側縁部に沿って、それぞれ肘掛け部が配置され、
前記肘掛け部の先端側には、これら肘掛け部を連結するように前記幅方向配置部材としてガード部材が形成されていることを特徴とする請求項２又は請求項３に記載のベビーカー。
【請求項５】
前記ハンドル部は、ベビーカーの進行方向において、一方側に傾斜して配置される一方側傾斜位置又は、他方側に傾斜して配置される他方側傾斜位置のいずれかを選択して配置可能な構成となっており、
前記ハンドル部のベビーカーの進行方向の前記一方側及び前記他方側に、前記注意喚起部が一体に形成されていることを特徴とする請求項１乃至請求項３のいずれかに記載のベビーカー。
【請求項６】
ベビーカーの進行方向における座席部の両側縁部に沿って配置される複数の肘掛け部の先端側を連結するように配置されるベビーカー用ガード部材であって、
前記ベビーカー用ガード部材の両側縁部近傍にそれぞれ第３者の注意を引く注意喚起部が設けられると共に、前記肘掛け部の先端側に対して着脱可能な構成となっていることを特徴とするベビーカー用ガード部材。
【請求項７】
ベビーカーに対し着脱可能な着脱部と、
前記着脱部により前記ベビーカーに装着された際に、ベビーカーの進行方向において前方側に光を照射する発光部と、を有するベビーカー用発光ユニット。
【発明の詳細な説明】
【技術分野】
【０００１】
本発明は、例えば乳幼児等が乗車し、保護者等が押すことで乳幼児等を移動させることができるベビーカー、ベビーカー用ガード部材及びベビーカー用発光ユニットに関するものである。
【背景技術】
【０００２】
従来より、乳幼児等を乗車させるベビーカーが提案されている（例えば、特許文献１）。すなわち、特許文献１の図１に示すように、ベビーカーは、前輪側車輪部及び後輪側車輪部がそれぞれ左右に２カ所ずつ配置されているため、横転等のおそれがなく安定して走行可能な構成となっている。
【特許文献１】特開２００２−２００９０１号公報（図１等）
【発明の開示】
【発明が解決しようとする課題】
【０００３】
しかしながら、特許文献１の図１に示すようなベビーカーは、その安定性を図るため左右に所定の長さ分、離間して２カ所に前輪側車輪部等が配置されている。また、後輪側車輪部も同様に配置されている。
このため、保護者が乳幼児等をベビーカーに乗車させて、道路を移動しようとすると、ベビーカーが道路上で所定の幅を占有して移動することとなり、同じ道路を走行する自動車等に近づくおそれがあり、特に、夕暮れから夜間、そして早朝、雨天、曇天時等は、周囲が暗くなるため、自動車等の運転手は道路上のベビーカーを明確に視認し難い環境となり、ベビーカーにとって危険性が増すという問題があった。
【課題を解決するための手段】
【０００４】
前記課題は、請求項１の発明によれば、乳幼児を乗車させる座席部と、前記座席部を支持するフレーム部と、移動に際し回動する車輪部と、前記フレーム部の上方に配置されるハンドル部と、を有するベビーカーであって、前記ベビーカーの進行方向における前方に向かって第３者の注意を引く注意喚起部が、前記ベビーカーに対して一体に配置され、前記注意喚起部は、少なくとも前記ベビーカーの進行方向に交差する方向である幅方向の両側縁部近傍にそれぞれ設けられていることを特徴とするベビーカーにより達成される。
【０００５】
請求項１の構成によれば、注意喚起部がベビーカーの幅方向の両側縁部近傍に配置されているので、道路等を走行する自動車の運転者等の第３者がベビーカーの存在を認識でき、しかも、その大きさ（幅）を視認しやすいため、あらかじめ危険な状態の発生を防ぐ。
また、注意喚起部がベビーカーに対して一体に配置されているため、ベビーカーに乗車する乳幼児が注意喚起部を悪戯等して注意喚起部に障害を与えるおそれがなく、注意喚起部が機能しなくなることを防ぐと共に、乳幼児が怪我等をすることも併せて防止することができる。また、母親等の介助者が取り扱うに当り、注意喚起部により操作を妨げることもない。このため、ベビーカーの使用時の安全性を高め、操作し易くすることができる。
【０００６】
好ましくは、請求項２に発明によれば、請求項１の構成において、前記車輪部は、ベビーカーの移動方向に対して配置される第１の車輪部と第２の車輪部を有し、少なくとも、前記第１の車輪部と前記第２の車輪部とを近接する方向に移動させることで、ベビーカーが折り畳み可能な構成となっており、前記注意喚起部は、ベビーカーの進行方向と交差する方向に配置されている幅方向配置部材上における両側縁部近傍に形成されている。
【０００７】
請求項２の構成によれば、ベビーカーは、少なくともその進行方向において折り畳まれ、収納や持ち運び時等における利便性を高めている。そして、注意喚起部は、幅方向配置部材上に形成されているので、ベビーカーの両側縁近傍に容易に配置することができると共に、ベビーカーを折り畳む際、注意喚起部に不必要な力が加わり、注意喚起部に障害が生じることを未然に防止することができる。
【０００８】
好ましくは、請求項３の発明によれば、請求項２の構成において、前記注意喚起部は、発光体で成り、少なくとも、前記発光体及び電源部により発光手段が形成され、前記発光手段が前記幅方向配置部材に形成されている。
【０００９】
請求項３の構成によれば、注意喚起部が発光体で成り、発光手段はスイッチ部、電源部及び発光体を有しており、発光体と電源部等は配線等で接続されている。
このように配線等で接続されている発光手段の各部を、異なるベビーカーの部品に別々に配置することは設計上好ましくなく、しかも、ベビーカーの折り畳みに際し、大きく変形等する部材に配置すると、部材の変形等による配線の損傷等を回避した複雑な構成とならざるを得ない。
この点、本構成によれば、発光手段は、ベビーカーの折り畳み時に大きく変形等しない幅方向配置部材に一体に形成されているので、発光手段の構成を複雑にする必要がなく、低コストで発光手段を配置することができ、且つ、折り畳み等に伴う配線の損傷等による発光手段の障害が生じにくいベビーカーとなる。
【００１０】
好ましくは、請求項４の発明によれば、請求項２又は請求項３の構成において、前記座席部のベビーカーの進行方向における両側縁部に沿って、それぞれ肘掛け部が配置され、
前記肘掛け部の先端側には、これら肘掛け部を連結するように前記幅方向配置部材としてガード部材が形成されている。
【００１１】
請求項４の構成によれば、幅方向配置部材である座席部を保護するガード部材が肘掛け部の先端側に配置されるので、幅方向配置部材は、ベビーカーの進行方向の先頭側に配置される可能性が高い。
このベビーカーの進行方向の先頭側は、ベビーカーのうち最も第３者が視認し易い部分であり、しかも乳幼児の位置に近いため、このように先頭側に配置されたガード部材に注意喚起部を形成することで、注意喚起部を第３者等に視認し易くさせることができる。
【００１２】
好ましくは、請求項５の発明によれば、請求項１乃至請求項３のいずれかの構成において、前記ハンドル部は、ベビーカーの進行方向において、一方側に傾斜して配置される一方側傾斜位置又は、他方側に傾斜して配置される他方側傾斜位置のいずれかを選択して配置可能な構成となっており、前記ハンドル部のベビーカーの進行方向の前記一方側及び前記他方側に、前記注意喚起部が一体に形成されている。
【００１３】
請求項５の構成によれば、ベビーカーのハンドル部を一方側傾斜位置に配置した場合と、他方側傾斜位置に配置した場合とでは、ベビーカーの進行方向が逆方向となる。
この点、本発明では、注意喚起部がハンドル部のベビーカーの進行方向の一方側及び他方側に配置されているので、ベビーカーの進行方向に拘わらず、常に、注意喚起部がその進行方向における前方に向かって配置されることになる。このため、ベビーカーの進行方向に拘わらず、常にベビーカーの安全性を確保することができる。
【００１４】
前記課題は、請求項６の発明によれば、ベビーカーの進行方向における座席部の両側縁部に沿って配置される複数の肘掛け部の先端側を連結するように配置されるベビーカー用ガード部材であって、前記ベビーカー用ガード部材の両側縁部近傍にそれぞれ第３者の注意を引く注意喚起部が設けられると共に、前記肘掛け部の先端側に対して着脱可能な構成となっていることを特徴とするベビーカー用ガード部材により達成される。
【００１５】
請求項６の構成によれば、乳幼児の前方に配置され、乳幼児を保護するベビーカー用ガード部材の両側縁部近傍にそれぞれ第３者の注意を引く注意喚起部が設けられているので、このようなベビーカー用ガード部材をベビーカーに装着することで、注意喚起部がベビーカーの幅方向の両側縁部近傍に配置されるので、道路等を走行する自動車の運転者等の第３者がベビーカーの大きさ（幅）を視認しやすくなり、しかもベビーカーの先頭側に配置されるため、確実にベビーカーの使用時の安全性を高めることができる。
また、ベビーカー用ガード部材は、ベビーカーの肘掛け部に対して着脱可能となっているので、乳幼児を乗せる際や収納時等に、利用者がベビーカー用ガード部材を容易に装着又は取り外すことができる。
【００１６】
前記課題は、請求項７の発明によれば、ベビーカーに対し着脱可能な着脱部と、前記着脱部により前記ベビーカーに装着された際に、ベビーカーの進行方向において前方側に光を照射する発光部と、を有するベビーカー用発光ユニットにより達成される。
【００１７】
請求項７の構成によれば、ベビーカー用発光ユニットは、着脱部を有しているので、母親等の介助者が任意の場所に容易にベビーカーに装着し又は取り外すことができる。
また、ベビーカーに装着すると、発光部がベビーカーの進行方向において前方側に光を照射するので、道路等を走行する自動車の運転者等の第３者がベビーカーを視認しやすい。このため、ベビーカーの使用時の安全性を高めることができる。
【発明の効果】
【００１８】
本発明は、第３者からの視認性を高め、使用時の安全性を高めることができるベビーカー、ベビーカー用ガード部材及びベビーカー用発光ユニットを提供できるという利点がある。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
（ベビーカー１００の全体構成等について）
図１は、本発明の第１の実施の形態に係るベビーカー１００を示す概略斜視図である。
図１に示すように、ベビーカー１００は、乳幼児を乗車させるための座席部１１０と、座席部１１０を支持するフレーム部１２０と、移動に際し回動する、双輪とされた車輪ユニットからなる、４つの車輪部として、前輪部１３０ａ、後輪部１３０ｂを有している。
また、フレーム部１２０の図において上方には、乳幼児の保護者がベビーカーを押す際等に使用するハンドル部１４０が、フレーム部１２０と連結されて配置されている。
【００２１】
座席部１１０のベビーカー１００の進行方向（図１の矢印Ｒ）における両側縁部に沿って、それぞれ肘掛け部１５０ａ、１５０ｂが配置されている。この肘掛け部１５０ａ等は、座席部１１０に乗車した乳幼児が腕等を置く部分であるとともに、ベビーカー１００の移動中に自己の身体を支えるための部分でもある。
肘掛け部１５０ａ等は、具体的には、フレーム部１２０により支持されている。
【００２２】
また、肘掛け部１５０ａ，１５０ｂの先端側には、これら肘掛け部１５０ａ等を連結するように幅方向配置部材の一つである例えば、ガード部材１６０が形成されている。すなわち、ガード部材１６０は、ベビーカー１００の進行方向Ｒと交差する方向に配置されている。また、ガード部材１６０は、ベビーカー用ガード部材の一例でもある。
【００２３】
また、ベビーカー１００は、図１に示すように座席部１１０を覆うように幌部１７０が配置されている。幌部１７０は折り畳みによる開閉が可能な構造となっており、日差しが強いときは、幌部１７０を展開して広げることができる。これにより、座席部１１０に座っている乳幼児を強い日差しから保護できる構成となっている。
また、座席部１１０に座った乳幼児がベビーカー１００の移動中に安定して座れるように、シートベルト１８０が配置されている。
さらに、図１に示すように、座席部１１０に乳幼児が座ると、その足を置くことができるフットレストバー１９０がフレーム部１２０に支持されて配置されている。
【００２４】
（前輪部１３０ａ等について）
ベビーカーは、大きく分けて低月齢用（例えば車輪の径がφ１８０ｍｍ程度と大きい）と高月齢用（例えば車輪の径がφ１２０ｍｍ程度と小さい）に分けられる。低月齢用は、未だひとり座りができない乳幼児を主な対象とするベビーカーであり、高月齢用は、既にひとり座りができる乳幼児を主な対象とするベビーカーである。
したがって、乳幼児が成長するにつれて、車輪の径の小さいベビーカーに乗り換える必要があり、乳幼児の保護者の経済的負担が増大することになっていた。
この点、本実施の形態では、図１の前輪部１３０ａ等を、車輪の径が大きい他の車輪（図６参照）となるよう、車輪部を構成する車輪ユニットごと容易に着脱可能な構成となっている。なお、車輪ユニットでは、車輪の径だけではなく、低月齢用としてはサスペンションによる衝撃吸収性を高め、乳幼児への衝撃を低減する構成とされ、高月齢用としてはサスペンションを若干硬めとすることで、操作感を向上しており、乳幼児の状態に応じた仕様とされている。
すなわち、図１に示す前輪部１３０ａ等がついた状態では、高月齢用として操作感の高い構成とされており、低月齢用のベビーカーとするには、低月齢用の車輪ユニットに取り替えることで、乳幼児への衝撃を抑えた構成とすることができる。
このように、本実施の形態のベビーカー１００は、車輪の交換により低月齢用及び高月齢用に適した選択をすることができる低月齢と高月齢の兼用型のベビーカー１００である。
【００２５】
（ガード部材１６０等について）
図２は図１のガード部材１６０を示す概略斜視図である。図１及び図２に示すように、ガード部材１６０の中央部には、少なくとも表面が柔らかい材質等から成るガードカバー１６１が配置されており、進行方向Ｒに対して中央部が突出する湾曲形状とされている。このため、ベビーカー１００の移動中、乳幼児を保護すると共に、急に停車しても乳幼児がガード部１６０に当り、顔等にけが等をしない構成となっている。
また、図１及び図２に示すように、ガード部材１６０の両側縁近傍には、ベビーカー１００の進行方向Ｒにおける前方に向かって、発光手段である例えば照明部１６２ａ、１６２ｂが配置され、ガード部材１６０の湾曲形状に伴い、光が進行方向Ｒに対して前方から外方にかけて向かうよう配置されている。
【００２６】
（照明部１６２ａ等について）
図３は、図２の照明部１６２ａ等の構成を示す概略分解斜視図である。
図１及び図２に示す照明部１６２ａ等は、図３に示すように、ガード部材１６０に一体に形成されており、ほとんど突出することのない形態とされている。
すなわち、ガード部材１６０の一端部には、第３者、例えば自動車等の運転手等の注意を引く注意喚起部であり、発光体である例えば、ＬＥＤ（光ダイオード  Ｌｉｇｈｔ  Ｅｍｉｔｔｉｎｇ  Ｄｉｏｄｅ）１６３が２個配置されている。ＬＥＤ１６３を覆うように曲面状の樹脂等の透明部材から成る拡散板１６４が配置されている。
拡散板１６４には、シボ加工、レンズカット加工等が施されているため、ＬＥＤ１６３からの光を拡散する機能を発揮する。このため、自動車等から視認できる範囲を広くすると共に、光量が大きい高輝度のＬＥＤ１６３を使用し、万一、ＬＥＤ１６３を見た場合でも、ＬＥＤ１６３が目に悪影響を与えることを未然に防止することができる。
【００２７】
図３に示すように、ガード部材１６０内には、ＬＥＤ１６３の電力供給源であり、電源部である例えば、電池（図示せず）を配置するための電池配置領域１６５が形成されている。また、電池配置領域１６５に電池を配置した場合に、電池を支持するための電池カバー１６６が設けられている。
電池カバー１６６には、ネジ用開口１６６ａが設けられており、図３のネジ１６７を介してガード部材１６２ａに対して固定されるようになっている。このネジ用開口１６６ａには、ネジ１６７が締まると乗り越えるリブ（図示せず）が、その内周に形成さているため、ネジ１６７が緩んでもネジ用開口１６６ａから脱落等しない構成となっている。
したがって、振動等に伴ってネジ１６７が脱落して、電池カバー１６６が外れてしまい、電池が露出・脱落することがないので、ガード部材１６２ａの近傍に座っている乳幼児が誤って悪戯等して、電池を飲み込んでしまうこと等を未然に防ぐ構成となっている。
なお、これらＬＥＤ１６３や電池配置領域１６５等は図示しない配線を通じて基板に連結されている。基板は樹脂コート等により、雨水が浸入した場合でも障害が発生し難く構成しているが、適宜パッキン等を配置して照明部１６２ａを防水仕様としてもよい。
【００２８】
一方、図２の左側の照明部１６２ｂ側には、右側の照明部１６２ａと異なり、スイッチ部である例えば、スイッチ１６８が形成されている。すなわち、乳幼児の保護者等がスイッチ１６８を押すことで、照明部１６２ａ、１６２ｂのＬＥＤ１６３が点灯したり、消灯したりする構成となっている。
照明部１６２ｂ側には、照明部１６２ａと異なり、電池や電池配置領域１６５等が形成されていない。このようにスイッチ１６８を形成する照明部１６２ｂと、電池を配置する照明部１６２ａとを分けることで、照明部１６２ａ、１６２ｂをガード部材１６０内に効率良く配置することができ、ひとつの幅方向配置部材内で照明手段を構成できる。
なお、本実施の形態と異なり、スイッチ１６８を２つの照明部１６２ａ、１６２ｂの双方側に設けたり、ハンドル部１４０上に遠隔操作可能なスイッチを配置しても構わない。
【００２９】
以上のように、照明部１６２ａ等は、ガード部材１６０と一体に配置されているので、ベビーカー１００の操作に当って引っかかってしまう等の問題が無いだけでなく、乗車する乳幼児が照明部１６２ａ、１６２ｂを悪戯等して照明部１６２ａ等に障害を与えるおそれがなく、照明部１６２ａ等も故障し難く、使用時の安全性の高い構成となっている。
【００３０】
ところで、図１及び図２に示すように、照明部１６２ａ、１６２ｂは、ベビーカー１００の進行方向Ｒに交差する方向である幅方向に配置されるガード部材１６０の両側縁部近傍にそれぞれ配置されている。
したがって、照明部１６２ａ、１６２ｂが点灯することで、夜間等のように周囲が暗い状態でも、ベビーカー１００の幅方向の大きさを第３者に容易に認識させることができ、例えば、道路を走行中の自動車等の運転手等にベビーカー１００の大きさを認識させることができるので、ベビーカー１００の使用時に安全性が高まることになる。
【００３１】
また、本実施の形態では、ガード部材１６０は、肘掛け部１５０ａ等の先端側に配置されているので、照明部１６２ａ等は、ベビーカー１００の進行方向Ｒの先頭側であって、乳幼児の近傍に配置されている（図１参照）。
照明部１６２ａ等は、道路を走行中の自動車等の運転手等が最も視認し易い部分に配置されるので、ベビーカー１００の使用時の安全性が高まる構成となっている。
【００３２】
なお、本実施の形態では、注意喚起部としてＬＥＤ１６３を例に説明したが、これに限らず、注意喚起部としては、介助者が路面等を確認できるライト等の他の照明手段や、反射板等のリフレクターであってもよい。また、電源は電池ではなく、前輪部１３０ａ等の回転に伴う発電手段や、太陽光を蓄電する等による電源により発光する構成としてもよい。
【００３３】
（ガード部材１６０の着脱等について）
図４は、図１の肘掛け部１５０ｂにガード部材１６０が装着された状態を示す概略斜視図である。図５は、図１の肘掛け部１５０ｂからガード部材１６０が取り外された状態を示す概略斜視図である。
図４及び図５に示すようにガード部材１６０はベビーカー１００の肘掛け部１５０ｂに容易に装着し、又は取り外せるように構成されている。具体的には、図５に示すようにガード部材１６０に設けられたガード部材側着脱部１６９が肘掛け部１５０ｂに設けられた肘掛け部側着脱部１５１と連結され、又は解除されることで着脱する構成となっている。
すなわち、ガード部材１６０のガード部材側着脱部１６９を肘掛け部側着脱部１５１内に挿入すると、溝状とされたガード部材側係合部１６９ａが、肘掛け部側着脱部１５１の内部で係合し、装着される。
そして、そのガード部材側係合部１６９ａの係合は、図５の肘掛け部ｂに形成された着脱操作部１５２を図５の矢印Ｘ方向に移動させることで解除できる構成となっている。このガード部材側着脱部１６９には、肘掛け部側着脱部１５１内で、図５の矢印Ｙ方向に常に付勢力が加わっており、ガード部材側係合部１６９ａの溝が着脱操作部１５２と連動した図示しない凸部と係合しているため、着脱操作部１５を操作して係合を解除することで、肘掛け部側着脱部１５１内から押し出されるように移動する。
そして、スイッチ１６８はガード部材側着脱部１６９の先端に配置されており、使用時には肘掛け部側着脱部１５１内に収容された状態とされているため、使用中に乳幼児が悪戯等により誤ってスイッチ１６８を操作してしまうことがない。
つまり、ガード部材１６０は、乳幼児を乗降させる際や照明手段を操作する際に、肘掛け部１５０から一方または両方を取り外して使用することとなる。
【００３４】
このように、本実施の形態のガード部材１６０は、ベビーカー１００の肘掛け部１５０ｂ等から容易に着脱することができる。また、図２及び図３に示すように、ガード部材１６０に設けられた照明部１６２ａ、１６２ｂは、電池からＬＥＤ１６３まで全ての配線等が、ガード部材１６０内に配置されているので、例え、ガード部材１６０を取り外しても、照明部１６２ａ等に障害等を与えることがない。
また、ガード部材１６０のみをベビーカー１００の部品として交換可能な構成としてもよく、その場合、ガード部材側着脱部１６９の係合構成は、各種ベビーカーの肘掛け部側着脱部に応じた形態とすればよい。
この場合、ガード部材１６０の照明部１６２ａ等に故障等があった場合に、故障部分のみを交換できたり、住環境の変化等に伴って危険性を感じた場合にのみ選択的に使用できたりするので、ガード部材１６０以外のベビーカー１００をそのまま使用でき、経済的である。
【００３５】
（ベビーカー１００の折り畳み等について）
図６は、図１に示すベビーカー１００のフレーム部１２０を折り畳んだ状態を示す概略側面図であって、前輪部１３０ａ及び後輪部１３０ｂは、上述した低月齢用を装着した状態としている。
図６に示すように、ベビーカー１００の第１の車輪部である例えば、図１の前輪側の前輪部１３０ａ等と第２の車輪部である例えば、後輪側の後輪部１３０ｂ等とは、図１の移動方向Ｒに沿って配置されている。
そして、操作ツマミ１４０ａを操作しながら、前輪部１３０ａ等と後輪部１３０ｂ等とを近接する方向に移動させることで、ベビーカー１００が図６に示すように折り畳まれ、自立することが可能な構成となっており、このように折り畳むことで、ベビーカー１００の収納や持ち運びを容易にできる。
【００３６】
ベビーカー１００を折り畳んだとき、図６に示すように照明部１６２ａ等が全て配置されているガード部材１６０は、大きく変形等することがない。このため、折り畳みに際し、照明部１６２ａ等に不必要な力が加わり、照明部１６２ａ等に障害が生じることを未然に防止することができる。
また、照明部１６２ａ等は、図２及び図３に示すように、スイッチ１６８、電池、ＬＥＤ１６３等が配線等で接続されている。このような配線等が、ベビーカーの折り畳みで変形する部分に配置されると、部材の変形等による配線等の損傷等を回避した複雑な構成とせざるをえない。
この点、本実施の形態によれば、スイッチ１６８，電池、ＬＥＤ１６３等は全て、ベビーカー１００の折り畳みに際し、大きく変形等しないガード部材１６０に配置されているので、変形等に伴う配線等の損傷等を考慮する必要がなく、低コストで照明部１６２ａ等を配置することができる。また、かかる構成としているため、ベビーカー１００の折り畳みに際し、配線等の損傷等が生じにくい、信頼性の高いベビーカー１００となっている。  
なお、ガード部材１６０を折ることができるよう構成し、図６の状態に折り畳んだ後に、さらに左右の前輪部１３０ａ同士が近接する方向に折り畳むことができる、所謂３つ折りタイプとしてもよい。
【００３７】
なお、本実施の形態では、照明部１６２ａ等をガード部材１６０に配置したが、これに限らず、幅方向配置部材となる図１のフットレストバー１９０の両端部、幌部１７０の両端部、座席部１１０の両端部、ハンドル部１４０の手元部分の両端部、さらにベビーカー１００の背面側の両端部等であってもよく、複数の照明部を組み合わせてもよい。
例えば、ハンドル部１４０の上端近傍における両側縁近傍に照明部を配置し、操作ツマミ１４０ａの一部等にスイッチ１６８を配置してもよい。また、ガード部材１６０と同様に、湾曲形状とされたフットレスト１９０ａやフットレストバー１９０上の両端側に照明部を配置し、進行方向Ｒ方向から外方に向かって、光が照射されるよう構成してもよい。
【００３８】
（第２の実施の形態）
図７は、本発明の第２の実施の形態にかかるベビーカー２００の構成を示すフレーム部２２０等の骨格を示す概略斜視図である。
図７に示すベビーカー２００の多くの構成は、第１の実施の形態のベビーカー１００と同様な構成のため、同様の構成は同一符号等として説明を省略し、以下相違点を中心に説明する。
本実施の形態では、照明部２６２がハンドル部２４０に設けられている。具体的には、図７の進行方向Ｒの前方側をＬＥＤ１６３が照射する照明部２６２ａと、後方側を照射する照明部２６２ｂとがハンドル部２４０の上方側における外方に設けられ、ＬＥＤ１６３の照射の方向は進行方向Ｒに沿うように成っている。
また、照明部２６２ａ、２６２ｂは、ハンドル部２４０に対し一体に配置されている。
【００３９】
さらに、ハンドル部２４０は、ベビーカー２００の進行方向Ｒにおいて一方側である例えば、後輪部１３０ｂ側であって、後方側に傾斜して配置される一方側傾斜位置である例えば、後方側傾斜位置（図７のＰ１の位置）、又は他方側である例えば、前輪部１３０ａ側であって、前方側に傾斜して配置される他方側傾斜位置である例えば、前方側傾斜位置（図７のＰ２の位置）のいずれかを選択して配置可能な構成となっている。
これは、乳幼児の保護者が座っている乳幼児の後方から押してベビーカー２００を移動される（背面押し）だけでなく、乳幼児の顔を見ながらベビーカー２００を移動させる（対面押し）ことも選択できる構成とするためである。
ベビーカー２００のハンドル部２４０をＰ１とする場合と、Ｐ２とする場合では、ベビーカー２００の進行方向Ｒが逆方向になる。
この点、本実施の形態では、照明部２６２ａ、２６２ｂが、ベビーカー２００の進行方向の一方側及び他方側である例えば、後方側及び前方側に配置されているので、ベビーカー２００の進行方向Ｒに拘わらず、常に照明部２６２ａ又は照明部２６２ｂのいずれかが、前方に向かって点灯していることになる。しかも、照明部２６２は屈曲した形状とされており、いずれの進行方向に向かうようにハンドル２４０を配置しても、水平に照明が向かうよう構成されているため、第３者から照明を視認することができる。
このため、ハンドル部２４０の位置を変え、進行方向が異なる場合でも、ベビーカー２００の使用時の安全性を確保することができる。
【００４０】
具体的には、本実施の形態では、ハンドル部２４０が、Ｐ１の位置にあるときは、照明部２６２ａが点灯し、照明部２６２ｂは消灯する構成となっている。逆に、ハンドル部２４０を図７のＰ２の位置に移動させると、照明部２６２ｂが点灯し、照明部２６２ａは消灯する構成となっており、ハンドル部の角度に応じて切り替えられている。
このような点灯の切り替えは、ハンドル部２４０内のスイッチング装置（図示せず）によって行われる構成となっている。
なお、照明部２６２が常に水平状態を保った状態でバランスを取るよう構成し、ハンドル２４０の位置が変わっても水平に照射するよう構成してもよい。また、照明部２６２の発光体を一つの光源として、反射手段により照明部２６２ａ，２６２ｂで共有するよう構成してもよい。
さらに、一方向のみを照射するタイプの照明部２６２が、ハンドル部２４０に対して回動操作ができる構成として、進行方向に応じて介助者が反転できるよう構成してもよい。
【００４１】
（第３の実施の形態）
図８（ａ）は、第３の実施の形態にかかるベビーカー用発光ユニットである例えば、発光ユニット３００の構成を示す概略図である。図８（ｂ）は、図８（ａ）の発光ユニット３００の使用例を示す概略斜視図である。
図８（ａ）に示すように、発光ユニット３００は、切欠部３１０ａを設けた円弧状の着脱部３１０を有している。円弧状の着脱部３１０は、弾性を有し、例えば、図８（ｂ）に示すベビーカー４００のハンドル部３４０のパイプ等に、着脱部３１０を変形させながら、切欠部３１０ａからパイプ等を挿入することで着脱可能な構成と成っており、着脱部３１０の内面には弾性体等よりなる滑り止め層３１０ｂが形成されている。
なお、着脱部３１０は、この他に弦巻バネ等の弾性手段を使用したクリップ状や、ネジ等による締め込み構造を有する固定手段等を採用してもよい。
また、発光ユニット３００は発光部３２０を有している。発光部３２０は、図８（ａ）に示すように、ＬＥＤ３６３と、その光を拡散するレンズである拡散板３６４を有している。さらに、発光部３２０には、電源部である例えば、電池、そして配線等を有しており、発光部３２０は着脱部３１０に対して水平方向の角度を調整可能に構成されている。
したがって、発光部３２０は、ＬＥＤ３６３により水平に点灯する構成となっている。
【００４２】
このような、発光ユニット３００をベビーカー４００に配置すると、図８（ｂ）に示すような位置に選択的に装着できるよう構成することができる。すなわち、例えばハンドル部３４０に装着する場合、発光ユニット３００の着脱部３１０を若干変形等させ、着脱部３１０の内周に沿ってハンドル部３４０のパイプを配置するようにすることで、容易に発光ユニット３００をベビーカー４００に装着することができる。ハンドル部３４０の他に、図示するように、背面押しの場合、前輪部１３０ａ側のフレーム部１２０に、対面押しの場合、後輪部１３０ｂ側のフレーム部１２０にそれぞれ選択的に装着することができる。
なお、このような発光ユニット３００は、ベビーカーの両側縁に沿った位置に配置できるよう、少なくとも２つがセットされていることが好ましい。
一方、同様に着脱部３１０を変形させることで、発光ユニット３００を容易にベビーカー４００から取り外すことができる。
このように、発光ユニット３００は着脱部３１０を有しているため、どのようなベビーカーであっても、その構造に応じて、乳幼児の保護者等が容易にベビーカー４００に装着し、又は取り外すことができる。
【００４３】
また、発光ユニット３００は、発光部３１０を有しているので、着脱部３１０を介してベビーカー４００に装着されると、ベビーカーの進行方向Ｒにおいて前方側を照射するように発光部３２０を選択的に配置することができる。
したがって、夜間等のように、周囲が暗くなったときに、保護者が発光ユニット３００を使用すれば、道路等を走行する自動車等の運転者等の第３者にベビーカー４００の視認し易くすることができ、ベビーカー４００の使用時の安全性を高めることができる。
【００４４】
（第３の実施の形態の変形例）
図９は、第３の実施の形態の変形例である発光ユニット５００を示す概略図である。本変形例の発光ユニット５００は第３の実施の形態の発光ユニット３００と共通の構成を有するため、共通の構成は同一符号等として説明を省略し、以下相違点を中心に説明する。
図９に示すように、発光ユニット５００は、第３の実施の形態と異なり発光部５２０の外観が玩具（人形）形態となっており、内部に発光体が収容されている。また、着脱部５１０がベルト状とされており、着脱部５１０に面ファスナーが採用されている。
具体的には、図９に示すように、着脱部５１０の一方における一面をループ面５１０ａとし、他方における他面をフック面５１０ｂとすることで、図８（ｂ）のベビーカー４００のパイプに巻き付けて固定することができる構成となっており、パイプの太さや取り付け部の構造等に応じて装着可能とされている。なお、着脱部５１０は面ファスナーを使用する他に、所謂バックル等の各種係合手段も採用することができる。
このように発光部５２０を玩具形態とすることで、乳幼児に抵抗がなく、楽しむことができると共に、安全に使用することができる発光ユニット５００となる。
【００４５】
本発明は、上述の各実施の形態に限定されない。上述の各実施の形態は、相互に組み合わせて構成するようにしてもよい。
【図面の簡単な説明】
【００４６】
【図１】本発明の第１の実施の形態に係るベビーカーを示す概略斜視図である。
【図２】図１のガード部材を示す概略斜視図である。
【図３】図２の照明部の構成を示す概略分解斜視図である。
【図４】図１の肘掛け部にガード部材が装着された状態を示す概略斜視図である。
【図５】図１の肘掛け部からガード部材が取り外された状態を示す概略斜視図である。
【図６】図１に示すベビーカーのフレーム部を折り畳んだ状態を示す概略側面図である。
【図７】本発明の第２の実施の形態にかかるベビーカーの構成を示す概略側面図である。
【図８】（ａ）は、第３の実施の形態にかかるベビーカー用発光ユニットである例えば、発光ユニットの構成を示す概略図である。（ｂ）は、（ａ）の発光ユニットの使用例を示す概略斜視図である。
【図９】第３の実施の形態の変形例である発光ユニットを示す概略図である。
【符号の説明】
【００４７】
１００・・・ベビーカー、１１０・・・座席部、１２０・・・フレーム部、１３０ａ・・・前輪部、１３０ｂ・・・後輪部、１４０・・・ハンドル部、１５０・・・肘掛け部、１５１・・・肘掛け部側着脱部、１５２・・・着脱部操作部、１６０・・・ガード部材、１６１・・・ガードカバー、１６２ａ、１６２ｂ・・・照明部、１６３・・・ＬＥＤ、１６４・・・拡散板、１６５・・・電池配置領域、１６６・・・電池カバー、１６７・・・ネジ、１６８・・・スイッチ、１６９・・・ガード部材側着脱部、１９０・・・フットレストバー
【図１】
2006160135.tif 000003
【図２】
2006160135.tif 000004
【図３】
2006160135.tif 000005
【図４】
2006160135.tif 000006
【図５】
2006160135.tif 000007
【図６】
2006160135.tif 000008
【図７】
2006160135.tif 000009
【図８】
2006160135.tif 000010
【図９】
2006160135.tif 000011